【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
インクを吐出する複数の吐出口を配列してなる吐出口列を複数備えた記録ヘッドと、
前記記録ヘッドの複数の前記吐出口列が設けられた吐出口面をワイピングするワイピング手段と、
ワイピングを実行した後に前記記録ヘッドから予備吐出する予備吐出発数を決定する決定手段と、を有するインクジェット記録装置であって、
前記決定手段は、ワイピングを実行した後に記録媒体上に印字した前記吐出口列ごとの評価用画像に基づいて、前記吐出口列ごとの前記予備吐出発数を決定することを特徴とするインクジェット記録装置。
【請求項２】
前記複数の吐出口列は、前記複数の吐出口の配列方向と交差する交差方向に配列しており、
前記ワイピング手段は、前記交差方向に移動することで前記吐出口面をワイピングすることを特徴とする請求項１に記載のインクジェット記録装置。
【請求項３】
前記評価用画像は、前記記録ヘッドを記録媒体に対して走査させながら印字されることを特徴とする請求項１または２に記載のインクジェット記録装置。
【請求項４】
前記予備吐出発数は、前記吐出口列を区分けして得られた複数の領域のうちの領域ごとに決定されることを特徴とする請求項１乃至３のいずれか１項に記載のインクジェット記録装置。
【請求項５】
前記複数の吐出口列から吐出されるインクの種類は複数あることを特徴とする請求項１乃至４のいずれか１項に記載のインクジェット記録装置。
【請求項６】
前記決定手段は、前記評価用画像の混色が発生している領域に基づいて前記予備吐出発数を決定することを特徴とする請求項１乃至５のいずれか１項に記載のインクジェット記録装置。
【請求項７】
前記決定手段は、前記混色が発生している領域が増えるにつれて前記予備吐出発数が多くなるように前記予備吐出発数を決定することを特徴とする請求項６に記載のインクジェット記録装置。
【請求項８】
前記評価用画像を読み取る読取手段をさらに有することを特徴とする請求項１乃至７のいずれか１項に記載のインクジェット記録装置。
【請求項９】
前記複数の吐出口列のうちの少なくとも１列は、第１の吐出口径の複数の第１吐出口と、前記第１の吐出口径より径の大きい第２の吐出口径の複数の第２吐出口とを含み、
前記決定手段は、前記第２の吐出口径からの予備吐出発数が、前記第１の吐出口径からの予備吐出発数より多くなるように前記予備吐出発数を決定することを特徴とする請求項１乃至８のいずれか１項に記載のインクジェット記録装置。
【請求項１０】
環境温度を検出する環境温度検出手段をさらに備え、
前記決定手段は、前記環境温度検出手段で検出された環境温度が高いほど前記予備吐出発数が多くなるように前記予備吐出発数を決定することを特徴とする請求項１乃至９のいずれか１項に記載のインクジェット記録装置。
【請求項１１】
環境湿度を検出する環境湿度検出手段をさらに備え、
前記決定手段は、前記環境湿度検出手段で検出された環境湿度が高いほど前記予備吐出発数が多くなるように前記予備吐出発数を決定することを特徴とする請求項１乃至１０のいずれか１項に記載のインクジェット記録装置。
【請求項１２】
インクを吐出する複数の吐出口を配列してなる吐出口列を複数備えた記録ヘッドと、
前記記録ヘッドの複数の前記吐出口列が設けられた吐出口面をワイピングするワイピング手段と、を有するインクジェット記録装置において、ワイピング後に前記記録ヘッドから予備吐出する予備吐出発数を決定する方法であって、
前記記録ヘッドの前記吐出口面をワイピングするワイピング工程と、
前記ワイピング工程の後に、前記記録媒体上に前記吐出口列ごとに評価用画像を印字する印字工程と、
前記吐出口列ごとの前記評価用画像に基づいて、前記吐出口列ごとの前記予備吐出発数を決定する決定工程と、
を有することを特徴とする予備吐出発数の決定方法。
【手続補正２】
【補正対象書類名】明細書
【補正対象項目名】発明の名称
【補正方法】変更
【補正の内容】
【発明の名称】インクジェット記録装置および予備吐出発数の決定方法
【手続補正３】
【補正対象書類名】明細書
【補正対象項目名】００１３
【補正方法】変更
【補正の内容】
【００１３】
本発明の一の態様によれば、
インクを吐出する複数の吐出口を配列してなる吐出口列を複数備えた記録ヘッドと、
前記記録ヘッドの複数の前記吐出口列が設けられた吐出口面をワイピングするワイピング手段と、
ワイピングを実行した後に前記記録ヘッドから予備吐出する予備吐出発数を決定する決定手段と、を有するインクジェット記録装置であって、
前記決定手段は、ワイピングを実行した後に記録媒体上に印字した前記吐出口列ごとの評価用画像に基づいて、前記吐出口列ごとの前記予備吐出発数を決定することを特徴とするインクジェット記録装置が提供される。
【手続補正４】
【補正対象書類名】明細書
【補正対象項目名】００１４
【補正方法】変更
【補正の内容】
【００１４】
好ましくは、前記複数の吐出口列は、前記複数の吐出口の配列方向と交差する交差方向に配列しており、前記ワイピング手段は、前記交差方向に移動することで前記吐出口面をワイピングする。好ましくは、前記評価用画像は、前記記録ヘッドを記録媒体に対して走査させながら印字される。
【手続補正５】
【補正対象書類名】明細書
【補正対象項目名】００１５
【補正方法】変更
【補正の内容】
【００１５】
好ましくは、前記予備吐出発数は、前記吐出口列を区分けして得られた複数の領域のうちの領域ごとに決定される。好ましくは、前記複数の吐出口列から吐出されるインクの種類は複数ある。
【手続補正６】
【補正対象書類名】明細書
【補正対象項目名】００１６
【補正方法】変更
【補正の内容】
【００１６】
好ましくは、前記決定手段は、前記評価用画像の混色が発生している領域に基づいて前記予備吐出発数を決定する。好ましくは、前記決定手段は、前記混色が発生している領域が増えるにつれて前記予備吐出発数が多くなるように前記予備吐出発数を決定する。
【手続補正７】
【補正対象書類名】明細書
【補正対象項目名】００１７
【補正方法】変更
【補正の内容】
【００１７】
好ましくは、前記インクジェット記録装置は、前記評価用画像を読み取る読取手段をさらに有する。好ましくは、前記複数の吐出口列のうちの少なくとも１列は、第１の吐出口径の複数の第１吐出口と、前記第１の吐出口径より径の大きい第２の吐出口径の複数の第２吐出口とを含み、前記決定手段は、前記第２の吐出口径からの予備吐出発数が、前記第１の吐出口径からの予備吐出発数より多くなるように前記予備吐出発数を決定する。
【手続補正８】
【補正対象書類名】明細書
【補正対象項目名】００１８
【補正方法】変更
【補正の内容】
【００１８】
好ましくは、前記インクジェット記録装置は、環境温度を検出する環境温度検出手段をさらに備え、前記決定手段は、前記環境温度検出手段で検出された環境温度が高いほど前記予備吐出発数が多くなるように前記予備吐出発数を決定する。好ましくは、前記インクジェット記録装置は、環境湿度を検出する環境湿度検出手段をさらに備え、前記決定手段は、前記環境湿度検出手段で検出された環境湿度が高いほど前記予備吐出発数が多くなるように前記予備吐出発数を決定する。
【手続補正９】
【補正対象書類名】明細書
【補正対象項目名】００１９
【補正方法】変更
【補正の内容】
【００１９】
本発明の他の態様によれば、
インクを吐出する複数の吐出口を配列してなる吐出口列を複数備えた記録ヘッドと、
前記記録ヘッドの複数の前記吐出口列が設けられた吐出口面をワイピングするワイピング手段と、を有するインクジェット記録装置において、ワイピング後に前記記録ヘッドから予備吐出する予備吐出発数を決定する方法であって、
前記記録ヘッドの前記吐出口面をワイピングするワイピング工程と、
前記ワイピング工程の後に、前記記録媒体上に前記吐出口列ごとに評価用画像を印字する印字工程と、
前記吐出口列ごとの前記評価用画像に基づいて、前記吐出口列ごとの前記予備吐出発数を決定する決定工程と、
を有することを特徴とする予備吐出発数の決定方法が提供される。